(57)【特許請求の範囲】
【請求項１】
機体（２）に内装される複数個の油圧クラッチ（４０Ｈ，４０Ｌ，４３Ａ，４３Ｂ，４３Ｃ）の選択的な作動によって変速を得る作業車両に適用される変速制御装置において、
前記機体（２）の外側面上に設置されるバルブケーシング（５５）と、
前記油圧クラッチの各々に対して個別的に作動油を給排可能な複数個の方向切換弁（４６Ｈ，４６Ｌ，４６Ａ，４６Ｂ，４６Ｃ）と、
前記油圧クラッチの各々に対する作用油圧を感知する複数個の圧力センサー（４７Ｈ，４７Ｌ，４７Ａ，４７Ｂ，４７Ｃ）とを備え、
前記バルブケーシング（５５）は、前記機体の外側面に設置される内側プレート部材（５８）と、前記内側プレート部材の外側面に連結され且つ前記複数個の方向切換弁及び前記複数個の圧力センサーが装着される外側プレート部材（５７）と、前記プレート部材間に介装され該両プレート部材の油路間を接続する油路穴を有するセパレータ（５９）とを有し、
前記外側プレート部材は、前記外側プレート部材の外側面及び内側面に開口するように前記外側プレート部材を貫通するポンプポート（７１）と、前後方向に並列するように前記外側プレート部材の上下方向一方側の端面から穿設され、前記複数の方向切換弁がそれぞれ挿入される複数の弁挿入穴（７６Ｈ，７６Ｌ，７６Ａ，７６Ｂ，７６Ｃ）と、前後方向に並列するように前記外側プレート部材の上下方向他方側の端面から穿設され、前記複数の圧力センサがそれぞれ挿入される複数のセンサ挿入穴と、前記複数の弁挿入孔にそれぞれ連通された状態で前記外側プレート部材の内側面に開口された複数の入力ポート（７８Ｐ），複数の出力ポート（７８Ｈ，７８Ｌ，７８Ａ，７８Ｂ，７８Ｃ）及び複数のタンクポート（７８Ｔ）と、前記各出力ポート及び前記各センサ挿入孔を連通するように前記外側プレート部材の内側面に形成された複数の出力用凹溝（７９Ｈ，７９Ｌ，７９Ａ，７９Ｂ，７９Ｃ）とを有し、
前記内側プレート部材は、前記セパレータの油路穴（７１ａ）を介して前記ポンプポートに連通し且つ前記複数の弁挿入穴に対応した位置へ延びるように前記内側プレート部材の外側面に形成されたポンプ用凹溝（７１ｂ）であって、前記セパレータに形成された複数の油路穴（７１ｃ）を介して前記複数の入力ポートに連通された入力用凹溝（７１ｂ）と、前記油圧クラッチに対する複数個の接続ポート（６０Ｈ，６０Ｌ，６０Ａ，６０Ｂ，６０Ｃ）であって、前記セパレータに形成された複数の油路穴（８３ａ，８４ａ，８５ａ，８６ａ，８７ａ）を介して前記複数の出力ポートにそれぞれ連通された状態で前記内側プレート部材の内側面に開口された複数個の接続ポート（６０Ｈ，６０Ｌ，６０Ａ，６０Ｂ，６０Ｃ）と、前記セパレータに形成された複数の油路穴（８２ａ）を介して前記複数のタンクポートにそれぞれ連通された状態で前記内側プレート部材の内側面に開口されたドレン穴（８２ｄ，８２ｅ）とを有していることを特徴としてなる変速制御装置。
【発明の詳細な説明】
【０００１】
【発明の属する技術分野】
この発明は複数個の油圧クラッチの選択的な作動によって変速を得る作業車両において、油圧クラッチ用の新規なバルブ機構を備えた変速制御装置に関するものである。
【０００２】
【発明の背景】
複数個の油圧クラッチの選択的な作動によって変速を得る作業車両において油圧クラッチの各々に対して個別的に作動油を給排可能な複数個の方向切換弁、特に油圧クラッチに対する作用油圧を制御可能な電磁比例弁を用いて変速制御を行うこと、そして油圧クラッチの各々に対する作用油圧を感知する複数個の圧力センサーを用い、個々の油圧クラッチに対する作用油圧の電気的な感知によって油圧クラッチの異常な二重係合を防止することは、例えば特許第２６６８３５９号公報に開示されているように既に公知である。しかしそのような複数個の方向切換弁と複数個の圧力センサーとを、複数個の油圧クラッチに対し近接した位置でコンパクトに、且つ保守点検が容易である態様で備えた変速制御装置は、未だ見当たらない。
【０００３】
そこでこの発明は複数個の方向切換弁と複数個の圧力センサーとを、複数個の油圧クラッチに対し近接した位置でコンパクトに、且つ保守点検が容易である態様で備えた変速制御装置を、提供しようとするものである。
【０００４】
【発明の要約】
この発明の変速制御装置は、複数個の油圧クラッチ（４０Ｈ，４０Ｌ，４３Ａ，４３Ｂ，４３Ｃ）の選択的な作動によって変速を得る作業車両において、前記油圧クラッチを内装する機体（２）の外側面上にバルブケーシング（５５）を設置し、このバルブケーシングに該ケーシングの上下方向の一面側から前記油圧クラッチの各々に対して個別的に作動油を給排可能な複数個の方向切換弁（４６Ｈ，４６Ｌ，４６Ａ，４６Ｂ，４６Ｃ）を、また他面側から該油圧クラッチの各々に対する作用油圧を感知する複数個の圧力センサー（４７Ｈ，４７Ｌ，４７Ａ，４７Ｂ，４７Ｃ）を、それぞれ前後方向で並列させて装着したことを特徴としてなる。
【０００５】
この発明の変速制御装置は、複数個の油圧クラッチを内装する機体の外側面上に設置したバルブケーシングに複数個の方向切換弁と複数個の圧力センサーを装備させたものであるから、該複数個の方向切換弁及び圧力センサーが複数個の油圧クラッチに近接していて、油圧クラッチに対する作動油の給排制御が迅速に行われると共に油圧クラッチに対する作用油圧が精密に感知される。機体外側面上のバルブケーシングに装着した方向切換弁及び圧力センサーは、外部からアクセスして容易に保守或いは点検できる。複数個の方向切換弁をバルブケーシングの上下方向の一面側から、そして複数個の圧力センサーをバルブケーシングの上下方向の他面側から、それぞれ前後方向で並列させて装着しているから、複数個の方向切換弁及び圧力センサーによってバルブケーシングの横幅が拡大することがなくコンパクトに設置され、この事情は油圧クラッチの個数が増減しても変わりがない。特に近年、エンジンの燃料を収容する燃料タンクを機体の側外方位置に設置することが行われるようになっているが、その場合にも燃料タンクの内側で変速制御装置をコンパクトに設置できる。
【０００６】
前記バルブケーシング（５５）は、前記した機体（２）の外側面に設置される内側プレート部材（５８）と、前記内側プレート部材の外側面に連結され且つ前記複数個の方向切換弁及び前記複数個の圧力センサーが装着される外側プレート部材（５７）と、前記プレート部材間に介装され該両プレート部材の油路間を接続する油路穴を有するセパレータ（５９）とを有している。
前記外側プレート部材は、前記外側プレート部材の外側面及び内側面に開口するように前記外側プレート部材を貫通するポンプポート（７１）と、前後方向に並列するように前記外側プレート部材の上下方向一方側の端面から穿設され、前記複数の方向切換弁がそれぞれ挿入される複数の弁挿入穴（７６Ｈ，７６Ｌ，７６Ａ，７６Ｂ，７６Ｃ）と、前後方向に並列するように前記外側プレート部材の上下方向他方側の端面から穿設され、前記複数の圧力センサがそれぞれ挿入される複数のセンサ挿入穴と、前記複数の弁挿入穴にそれぞれ連通された状態で前記外側プレート部材の内側面に開口された複数の入力ポート（７８Ｐ），複数の出力ポート（７８Ｈ，７８Ｌ，７８Ａ，７８Ｂ，７８Ｃ）及び複数のタンクポート（７８Ｔ）と、前記各出力ポート及び前記各センサ挿入孔を連通するように前記外側プレート部材の内側面に形成された複数の出力用凹溝（７９Ｈ，７９Ｌ，７９Ａ，７９Ｂ，７９Ｃ）とを有している。
前記内側プレート部材は、前記セパレータの油路穴（７１ａ）を介して前記ポンプポートに連通し且つ前記複数の弁挿入穴に対応した位置へ延びるように前記内側プレート部材の外側面に形成されたポンプ用凹溝（７１ｂ）であって、前記セパレータに形成された複数の油路穴（７１ｃ）を介して前記複数の入力ポートに連通された入力用凹溝（７１ｂ）と、前記油圧クラッチに対する複数個の接続ポート（６０Ｈ，６０Ｌ，６０Ａ，６０Ｂ，６０Ｃ）であって、前記セパレータに形成された複数の油路穴（８３ａ，８４ａ，８５ａ，８６ａ，８７ａ）を介して前記複数の出力ポートにそれぞれ連通された状態で前記内側プレート部材の内側面に開口された複数個の接続ポート（６０Ｈ，６０Ｌ，６０Ａ，６０Ｂ，６０Ｃ）と、前記セパレータに形成された複数の油路穴（８２ａ）を介して前記複数のタンクポートにそれぞれ連通された状態で前記内側プレート部材の内側面に開口されたドレン穴（８２ｄ，８２ｅ）とを有している。すなわちバルブケーシングには複数個の方向切換弁及び圧力センサーに対応して多数の油路及びポートが形成されるものであり、同油路及びポートを単一物としてのバルブケーシングに形成すると極めて形状が複雑となり形成困難となるのに対し、上記したバルブケーシング構造によれば極く容易に油路及びポートを形成できるのである。
【０００７】
この発明の他の特徴と長所は、添付図面を参照して行う以下の説明から明瞭に理解できる。
【０００８】
【実施例】
図１は、この発明の実施例を装備するトラクタを示している。エンジン１は車両前部に搭載され、車両機体２は前部ハウジング３と中間ハウジング４と後部ハウジング５とを前後に連設してなる。６，７は左右の前輪及び後輪を示している。座席８は中間ハウジング４の後部上方に設置され、その前方に左右の前輪６を旋回操作して車両の操行を行うステアリングホィール９が設けられている。
【０００９】
前部及び中間ハウジング３，４の両側外方にはエンジン１の燃料を貯える燃料タンク１０が設置され、その側外方に上下２段のステップ１１ａ，１１ｂを備えたステップ枠１１が設置されている。後部ハウジング５の上面には、リフトアーム軸１２ａまわりで上下回動可能な左右のリフトアーム１２ｂを装備する油圧リフトケース１２を設置してある。
【００１０】
図２は、トラクタの伝動機構を示している。エンジン・フライホィール１ａにより回転駆動される原動軸１３が設けられ、走行駆動系とＰＴＯ駆動系とを該原動軸１３から分岐させてある。走行駆動系は原動軸１３とその下方に配置した出力軸１４間に設けられた前後進切替え装置１５、出力軸１４の延長線上に配置し該出力軸１４に連結した第１駆動軸１６と原動軸１３の延長線上に配置した中空の第１従動軸１７との間に設けられた第１油圧式変速装置１８、第１従動軸１７の延長線上に配置し該第１従動軸１７に連結した中空の第２駆動軸１９と第１駆動軸１６の延長線上に配置した第２従動軸２０との間に設けられた第２油圧式変速装置２１、及び第２駆動軸１９の延長線上に配置した中空のカウンタ軸２２を備える機械式変速装置２３であって第２従動軸２０とその延長線上に配置したプロペラ軸２４との間に設けられた機械式変速装置２３を、有する。前後進切替え装置１５と第１油圧式変速装置１８は前部ハウジング３内の前後に配置され、第２油圧式変速装置２１と機械式変速装置２３は中間ハウジング４内の前後に配置されている。
【００１１】
上記伝動軸の支持を行うためには前部ハウジング３内前部の仕切り壁３ａ、前部ハウジング３内の中間部で該ハウジング３に取付けた第１軸受け枠２５、中間ハウジング４内の前部で該ハウジング４に取付けた第２軸受け枠２６、中間ハウジング４内の中間部の支壁部４ａ、及び後部ハウジング５の前壁５ａが用いられている。プロペラ軸２４の後端部は後部ハウジング５内に臨ませ、左右後輪用の差動装置（図示せず）の入力傘歯車２７と噛合わされた小傘歯車２８を装備させてある。
【００１２】
ＰＴＯ駆動系は中空の第１従動軸１７、第２駆動軸１９及びカウンタ軸２２を貫通させ前端で原動軸１３に連結してある伝動軸２９、この伝動軸２９に対し後部ハウジング５内の前端部で連結された伝動軸３０、この伝動軸３０の延長線上に配置した伝動軸３１、及び後部ハウジング５内から後方へ延出させてあるＰＴＯ軸３２を備える。伝動軸３０，３１間には油圧式のＰＴＯクラッチ３３が設けられ、また伝動軸３１とＰＴＯ軸３２間には機械式のＰＴＯ変速装置３４が設けられている。伝動軸支持のためには後部ハウジング５の前壁５ａ、後部ハウジング５内の支壁部５ｂ、及び後部ハウジング５の後端開口を閉鎖する後蓋５ｃが利用されている。
【００１３】
油圧リフトケース１２の前面には油圧ポンプ３５が装着され、この油圧ポンプ３５は伝動軸３０により、油圧リフトケース１２に装着した支持板３６に支持させた中間歯車を含む歯車列３７を介して駆動される。
【００１４】
同様に図２に示すように第１油圧式変速装置１８は、第１駆動軸１６上に遊嵌設置した２個の歯車３８Ｈ，３８Ｌと第１従動軸１７上に固定設置した２個の歯車３９Ｈ，３９Ｌとの対応するもの同士を噛合わせ、第１駆動軸１６上に歯車３８Ｈ，３８Ｌを選択的に該第１駆動軸１６に結合するための２個の油圧クラッチ４０Ｈ，４０Ｌを設けて、高低２段の変速を得るものに構成されている。また第２油圧式変速装置２１は、第２駆動軸１９上に固定設置した３個の歯車４１Ａ，４１Ｂ，４１Ｃと第２従動軸２０上に遊嵌設置した３個の歯車４２Ａ，４２Ｂ，４２Ｃとの対応するもの同士を噛合わせ、第２従動軸２０上に歯車４２Ａ，４２Ｂ，４２Ｃを選択的に該第２従動軸２０に結合するための３個の油圧クラッチ４３Ａ，４３Ｂ，４３Ｃを設けて、１−３速の３段の変速を得るものに構成されている。したがって第１油圧式変速装置１８の１個宛の油圧クラッチと第２油圧式変速装置２１の１個宛の油圧クラッチとを選択的に作動させることによって、合計で６段の変速を得ることができる。
【００１５】
図３は、第１及び第２油圧式変速装置１８，２１のための油圧回路を示している。図２に示した前記油圧ポンプ３５によって調圧弁４４で設定される油圧の作動油を供給する給油回路４５に接続して、第１及び第２油圧式変速装置１８，２１の５個の油圧クラッチ４０Ｈ，４０Ｌ及び４３Ａ，４３Ｂ，４３Ｃにそれぞれ接続された５個の電磁比例方向切換弁４６Ｈ，４６Ｌ，４６Ａ，４６Ｂ，４６Ｃを設けてある。各電磁比例方向切換弁４６Ｈ，４６Ｌ，４６Ａ，４６Ｂ，４６Ｃは図示のように中立位置と作用位置とを備える２ポジションのバルブに構成され、ソレノイドの励磁により中立位置から作用位置へと変位されて対応する油圧クラッチ４０Ｈ，４０Ｌ，４３Ａ，４３Ｂ，４３Ｃを係合させる。これらの各電磁比例方向切換弁４６Ｈ，４６Ｌ，４６Ａ，４６Ｂ，４６Ｃは、その作用位置への変位時点から対応する各油圧クラッチ４０Ｈ，４０Ｌ，４３Ａ，４３Ｂ，４３Ｃに対する作用油圧を指令に応じ任意に制御可能であり、また中立位置への復帰時に対応する各油圧クラッチ４０Ｈ，４０Ｌ，４３Ａ，４３Ｂ，４３Ｃに対する作用油圧を指令に応じ油圧ゼロにまで任意の減圧特性で減圧可能である。
【００１６】
各電磁比例方向切換弁４６Ｈ，４６Ｌ，４６Ａ，４６Ｂ，４６Ｃと各油圧クラッチ４０Ｈ，４０Ｌ，４３Ａ，４３Ｂ，４３Ｃ間の接続回路にはそれぞれ、圧力センサー４７Ｈ，４７Ｌ，４７Ａ，４７Ｂ，４７Ｃを接続してある。各圧力センサー４７Ｈ，４７Ｌ，４７Ａ，４７Ｂ，４７Ｃは電磁比例方向切換弁４６Ｈ，４６Ｌ，４６Ａ，４６Ｂ，４６Ｃと共に図外の電気制御回路に接続されていて、切断される油圧クラッチに対する作用油圧が切断指令を受けた後で油圧系のトラブルにより所定時間以上、油圧クラッチにおける摩擦板の許容吸収エネルギー値に対応する圧力値よりも高い状態が続くと、全ての電磁比例方向切換弁４６Ｈ，４６Ｌ，４６Ａ，４６Ｂ，４６Ｃのソレノイドに対する励磁指令を断って油圧クラッチの異常な二重係合を防ぎ、歯車や油圧クラッチの破損を防止する。
【００１７】
調圧弁４４の排油側には潤滑油圧設定用の二次調圧弁４８が接続され、両調圧弁４４，４８間から潤滑油回路４９を導き出して、油圧クラッチ４０Ｈ，４０Ｌ，４３Ａ，４３Ｂ，４３Ｃに対し潤滑油を供給するすることとしてある。なお車両機体２内の低部を利用した油タンク５０から油圧ポンプ３５に至る油吸入回路５１にはラインフィルタ５２とバイパス弁としてのリリーフ弁５３とを、互いに並列に接続して挿入してある。リリーフ弁５３はラインフィルタ５２に目詰まりが起きたときリリーフ動作して、油圧ポンプ３５に対する油の流れを持続させる。
【００１８】
図４，５に示すように機体２一側の前記燃料タンク１０は台板５４上に固定載置して前部ハウジング３及び中間ハウジング４の一側壁３ｂ，４ｂの外方に設置されているが、図４−６に示すように該燃料タンク１０の内側で前部ハウジング３の側壁３ｂ下半部にはバルブケーシング５５を、ボルト５６によって装着してある。このバルブケーシング５５は外側プレート部材５７と内側プレート部材５８、及びこれらのプレート部材５７，５８間に介装した薄いセパレータ５９とで構成されている。外側プレート部材５７の上面側には前記電磁比例方向切換弁４６Ｈ，４６Ｌ，４６Ａ，４６Ｂ，４６Ｃを前後方向で並列させて配置してあり、また外側プレート部材５７の下面側には前記圧力センサー４７Ｈ，４７Ｌ，４７Ａ，４７Ｂ，４７Ｃを同様に前後方向で並列させて配置してある。内側プレート部材５８には、前方側の３個のポート６０Ｈ，６０Ｌ，６１と後方側の３個のポート６０Ａ，６０Ｂ，６０Ｃとを、それぞれ内端面に開口させて形成してある。このうち前方側のポート６０Ｈ，６０Ｌ，６１は側壁３ｂに形成した開口６２に対面させてあり、また後方側のポート６０Ａ，６０Ｂ，６０Ｃは、側壁３ｂ，４ｂ内の油路６３Ａ，６３Ｂ，６３Ｃと側壁４ｂの前端部に形成した開口６４を閉鎖する蓋板６５内の油路６６Ａ，６６Ｂ，６６Ｃとを介し、上記開口６４に対面させてある。
【００１９】
通例のように第１駆動軸１６内には油圧クラッチ４０Ｈ，４０Ｌに対し作動油を給排する２個の作動油通路（図示せず）を、また第２従動軸２０内には油圧クラッチ４３Ａ，４３Ｂ，４３Ｃに対し作動油を給排する３個の作動油通路（図示せず）を、それぞれ形成してある。また第１駆動軸１６内と第２従動軸２０内とには、油圧クラッチ４０Ｈ，４０Ｌ，４３Ａ，４３Ｂ，４３Ｃの摩擦板部に潤滑油を供給する潤滑油通路６７，６８を形成し、両潤滑油通路６７，６８を第２軸受け枠２６内で、第１駆動軸１６と第２従動軸２０間の間隙を介し連通させてある。第１駆動軸１６と第１軸受け枠２５間には第１駆動軸１６内の２個の作動油通路と潤滑油通路６７とを位置固定側の油通路に連通させるための３個の油路ロータリジョイント部が形成され、また第２従動軸２０と第２軸受け枠２６間には第２従動軸２０内の３個の作動油通路を位置固定側の油通路に連通させるための３個の油路ロータリジョイント部が形成されている。そしてポート６０Ｈ，６０Ｌ，６１と第１軸受け枠２５内のロータリジョイント部とを連通させる３本のパイプ６９Ｈ，６９Ｌ，７０をケーシング５５と第１軸受け枠２５間に架け渡し、また油路６６Ａ，６６Ｂ，６６Ｃと第２軸受け枠２６内のロータリジョイント部とを連通させる３本のパイプ６９Ａ，６９Ｂ，６９Ｃを蓋板６５と第２軸受け枠２６間に架け渡すことによって、必要な油路が完成されている。側壁３ｂ，４ｂの開口６２，６４は第１及び第２軸受け枠２５，２６に対面させてあり、パイプ６９Ｈ，６９Ｌ，７０及び６９Ａ，６９Ｂ，６９Ｃは該開口６２，６４内を通過させてある。
【００２０】
図６に示すようにケーシング５５は、外側プレート部材５７の外面に開口するポンプポート７１と潤滑油ポート７２を有する。図１，２に示すように油圧リフトケース１２は前方向きの延出部１２ｃを有し、該延出部１２ｃの上面に、図３に示す前記調圧弁４４，４８を内装したバルブハウジング７３が設置されている。そして図１，６に示すようにバルブハウジング７３とケーシング５５のポンプポート７１及び潤滑油ポート７２間が、作動油供給パイプ７４及び潤滑油供給パイプ７５によって接続されている。
【００２１】
バルブケーシング５５の構造をより具体的に説明すると、図７に示すように該ケーシング５５は外側プレート部材５７、セパレータ５９及び内側プレート部材５８に形成したボルト挿通穴５６ａ，５６ｂ，５６ｃに挿通し側壁３ｂの肉厚部に形成したねじ穴５６ｄに螺着する前記ボルト５６によって、前部ハウジング３の側壁３ｂに装着されている。図８に示すように電磁比例方向切換弁４６Ｈ，４６Ｌ，４６Ａ，４６Ｂ，４６Ｃは、外側プレート部材５７に上面から穿設した弁挿入穴７６Ｈ，７６Ｌ，７６Ａ，７６Ｂ，７６Ｃにプランジャ部４６ａを挿入し、ボルト７７によって外側プレート部材５７に固定されている。図９に方向切換弁４６Ｂについて示すように、各プランジャ部４６ａに対面させて入力ポート７８Ｐ、出力ポート７８Ｂ（７８Ｈ，７８Ｌ，７８Ａ，７８Ｃ）及びタンクポート７８Ｔを上方から下方にかけて各弁挿入穴７６Ｈ，７６Ｌ，７６Ａ，７６Ｂ，７６Ｃに開口させてあり、各プランジャ部４６ａは図示の中立位置では出力ポート７８Ｂ（７８Ｈ，７８Ｌ，７８Ａ，７８Ｃ）をタンクポート７８Ｔに連通させ、それより突出動した作用位置では入力ポート７８Ｐを出力ポート７８Ｂ（７８Ｈ，７８Ｌ，７８Ａ，７８Ｃ）に対し連通させる。
【００２２】
図８，９に示すように圧力センサー４７Ｈ，４７Ｌ，４７Ａ，４７Ｂ，４７Ｃは、外側プレート部材５７の下面から穿設したねじ穴に先端部を螺合して、外側プレート部材５７に対し装着されている。外側プレート部材５７の内面側には各出力ポート７８Ｈ，７８Ｌ，７８Ａ，７８Ｂ，７８Ｃと上記各ねじ穴を連ねる凹溝７９Ｈ，７９Ｌ，７９Ａ，７９Ｂ，７９Ｃを形成してあり、これによって各圧力センサー４７Ｈ，４７Ｌ，４７Ａ，４７Ｂ，４７Ｃが各油圧クラッチ４０Ｈ，４０Ｌ，４３Ａ，４３Ｂ，４３Ｃに対する作用油圧を感知可能とされている。図８に示すように外側プレート部材５７の前端面と後端面には３個宛のゲージ取付穴８０Ｈ，８０Ｌ，８１及び８０Ａ，８０Ｂ，８０Ｃを設けてあり、このうちゲージ取付穴８０Ｈ，８０Ｌ，８０Ａ，８０Ｂ，８０Ｃはそれぞれ上記凹溝７９Ｈ，７９Ｌ，７９Ａ，７９Ｂ，７９Ｃと連通させてあり、またゲージ取付穴８１は潤滑油ポート７２と連通させてあって、各油圧クラッチ４０Ｈ，４０Ｌ，４３Ａ，４３Ｂ，４３Ｃに対する作用油圧及び潤滑油圧を測定する圧力ゲージ（図示せず）を取付けることとされている。
【００２３】
ケーシング５５内の油路構造を外側プレート部材５７の内面、セパレータ５９の外面（内面も同様）及び内側プレート部材５８の外面を示す図１０，１１，１２について、より詳細に説明する。前記ポンプポート７１は外側プレート部材５７を貫通し、セパレータ５９の油路穴７１ａを経て内側プレート部材５８の凹溝７１ｂに連通する。凹溝７１ｂは外側プレート部材５７の弁挿入穴７６Ｈ，７６Ｌ，７６Ａ，７６Ｂ，７６Ｃ位置に対応する５つの位置へと延びており、該５つの位置からセパレータ５９の５個の油路穴７１ｃを介して外側プレート部材５７の５個の前記入力ポート７８Ｐに連通させてある。前記潤滑油ポート７２は外側プレート部材５７内面の短い凹溝７２ａへと連通させてあり、ポート７２位置でセパレータ５９の油路穴７２ｂを介し内側プレート部材５８の前記ポート６１に対し、直接に連通させてある。また上記凹溝７２ａをセパレータ５９の油路穴７２ｃを介して内側プレート部材５８の凹溝７２ｄに連通させ、この凹溝７２ｄをセパレータ５９の油路穴７２ｅによって、外側プレート部材５７のゲージ取付穴８１に連らなる油路穴７２ｆへと連通させてある。
【００２４】
外側プレート部材５７の５個の前記タンクポート７８Ｔはセパレータ５９の５個の油路穴８２ａを介し、内側プレート部材５８の２個の凹溝８２ｂ，８２ｃへと連通させてあり、凹溝８２ｂ，８２ｃを側壁３ｂの前記開口６２位置まで延ばして、内側プレート部材５８を貫通するドレン穴８２ｄ，８２ｅによって前部ハウジング３内に直接に油をドレンさせることとしてある。
【００２５】
外側プレート部材５７の前記出力ポート７８Ｈ，７８Ｌ，７８Ａ，７８Ｂ，７８Ｃに連らなる前記凹溝７９Ｈ，７８Ｌ，７８Ａ，７８Ｂ，７８Ｃはそれぞれ、圧力センサー４７Ｈ，４７Ｌ，４７Ａ，４７Ｂ，４７Ｃの各取付け用ねじ穴位置にまで延びている。
そして凹溝７９Ｈは、セパレータ５９の油路穴８３ａを介し内側プレート部材５８の前記ポート６０Ｈに連通され、またセパレータ５９の油路穴８３ｂを介し内側プレート部材５８の凹溝８３ｃに連通されて、この凹溝８３ｃをセパレータ５９の油路穴８３ｄによって、外側プレート部材５７のゲージ取付穴８０Ｈに連らなる油路穴８３ｅへと連通させてある。
凹溝７９Ｌは、セパレータ５９の油路穴８４ａを介し内側プレート部材５８の前記ポート６０Ｌに連通され、またゲージ取付穴８０Ｌ位置へと延びている。凹溝７９Ａは、セパレータ５９の油路穴８５ａを介し内側プレート部材５８の凹溝８５ｂに連通され、この凹溝８５ｂを、前記ポート６０Ａに連通させると共にセパレータ５９の油路穴８５ｃによって、外側プレート部材５７のゲージ取付穴８０Ａに連らなる凹溝８５ｄへと連通させてある。凹溝７９Ｂは、セパレータ５９の油路穴８６ａを介し内側プレート部材５８の凹溝８６ｂに連通され、この凹溝８６ｂを、前記ポート６０Ｂに連通させると共にセパレータ５９の油路穴８６ｃによって、外側プレート部材５７のゲージ取付穴８０Ｂに連らなる凹溝８６ｄへと連通させてある。凹溝７９Ｃは、セパレータ５９の油路穴８７ａを介し内側プレート部材５８の前記ポート６０Ｃに連通され、またゲージ取付穴８０Ｃ位置へと延びている。
【００２６】
図１に示すように前部ハウジング３と中間ハウジング４との上面にまたがらせて、座席８に座乗する作業者が足を載せる足載せ板８８を設けてあり、前記ステップ枠１１は図５に示すように上端で、該足載せ板８８の側端に支点８９まわりで上下回動可能に支持されている。また同様に図５に示すように燃料タンク１０を載せた前記台板５４は、前部ハウジング３の下面に支点９０まわりで上下回動可能に支持されている。そしてステップ枠１１と台板５４とは、ロックボルト９１によって互いに連結されている。したがってロックボルト９１を取外すと図１３に示すように、ステップ枠１１を上向き回動させ台板５４を下向き回動させることができ、これによってバルブケーシング５５に容易にアクセスでき、その保守点検を容易に行えることとなっている。足載せ板８８、台板５４、燃料タンク１０で囲まれた電磁比例方向切換弁４６Ｈ，４６Ｌ，４６Ａ，４６Ｂ，４６Ｃ及び圧力センサ４７Ｈ，４７Ｌ，４７Ａ，４７Ｂ，４７Ｃは、雨水や跳ね上げ泥土の影響を受けず作動の安定性が確保されている。なおバルブケーシング５５を装着したのとは反対側の機体２の側面には油圧クラッチ式の前後進切替え装置１５用のバルブケーシング（図示せず）が装着され、その外側に同様の燃料タンクとステップ枠が配置されるが、その燃料タンクの台板９２とステップ枠との支持も、上に述べたのと等しくされている。
【００２７】
図２に示した伝動機構について若干、説明を補足すると、前後進切替え装置１５は原動軸１３と出力軸１４間に前進歯車列９３及びアイドルギヤ（図示せず）を含む後進歯車列９４を設け、これらの歯車列９３，９４において原動軸１３に遊嵌された歯車を、前進用油圧クラッチ９５Ｆ及び後進用油圧クラッチ９５Ｒの択一的な作動によって原動軸１３に対し結合して、出力軸１４に前進方向及び後進方向の回転を選択的に付与するものに、構成されている。
【００２８】
機械式変速装置２３は、カウンタ軸２２を第２従動軸２０に対し減速歯車列を介し接続して該カウンタ軸２２上に２個の変速歯車９６，９７を固定設置すると共に、このうち小径側の歯車９７に減速歯車機構９８を介し接続された変速歯車９９を、カウンタ軸２２外に設け、またプロペラ軸２４上に、変速歯車９９，９７に対し噛合わせ得るシフト歯車１００を摺動のみ自在に設けると共に変速歯車９６に噛合わせた歯車１０１を遊嵌設置し、さらに歯車１０１と第２従動軸２０とを選択的にプロペラ軸２４に対し結合可能な複式クラッチ１０２を設けてあるものに、構成されている。したがって機械式変速装置２３は、４つの変速段を有する。
【００２９】
ＰＴＯ変速装置３４は伝動軸３１とＰＴＯ軸３２間に３列の変速歯車列１０３，１０４，１０５を設け、ＰＴＯ軸３２上のクラッチ１０６によりこれらの変速歯車列を選択的に作動させて３段の変速を得るものに、構成されている。
【図面の簡単な説明】
【図１】  この発明の一実施例を装備したトラクタの一部切り欠き、一部縦断側面図である。
【図２】  同トラクタの伝動機構を示す機構図である。
【図３】  同トラクタに設けられた第１及び第２油圧式変速装置のための油圧回路を示す回路図である。
【図４】  同トラクタ要部の横断平面図である。
【図５】  同要部の縦断正面図である。
【図６】  同要部の縦断側面図である。
【図７】  上記トラクタ要部の分解斜視図である。
【図８】  上記トラクタに設けられたバルブケーシングの縦断側面図である。
【図９】  図８のＩＸ−ＩＸ線に沿う断面図である。
【図１０】  上記バルブケーシングにおける外側プレート部材の内面を示す側面図である。
【図１１】  上記バルブケーシングにおけるセパレータを示す側面図である。
【図１２】  上記バルブケーシングにおける内側プレート部材の外面を示す側面図である。
【図１３】  上記トラクタ要部の縦断正面図で、図５とは異なった状態を示している。
【符号の説明】
２      車両機体
３      前部ハウジング
３ｂ    側壁
４      中間ハウジング
４ｂ    側壁
１８    第１油圧式変速装置
２１    第２油圧式変速装置
２５    第１軸受け枠
２６    第２軸受け枠
３５    油圧ポンプ
４０Ｈ，４０Ｌ，４３Ａ，４３Ｂ，４３Ｃ    油圧クラッチ
４６Ｈ，４６Ｌ，４６Ａ，４６Ｂ，４６Ｃ    電磁比例方向切換弁
４６ａ  プランジャ
４７Ｈ，４７Ｌ，４７Ａ，４７Ｂ，４７Ｃ    圧力センサー
５５    バルブケーシング
５６    ボルト
５７    外側プレート部材
５８    内側プレート部材
５９    セバレータ
６０Ｈ，６０Ｌ，６０Ａ，６０Ｂ，６０Ｃ    ポート
６１    ポート
６２，６４    開口
６９Ｈ，６９Ｌ，６９Ａ，６９Ｂ，６９Ｃ    パイプ
７０    パイプ
７１    ポンプポート
７１ａ，７１ｃ    油路穴
７１ｂ    凹溝
７２    潤滑油ポート
７２ｂ  油路穴
７６Ｈ，７６Ｌ，７６Ａ，７６Ｂ，７６Ｃ    弁挿入穴
７８Ｐ    入力ポート
７８Ｈ，７８Ｌ，７８Ａ，７８Ｂ，７８Ｃ    出力ポート
７８Ｔ    タンクポート
７９Ｈ，７９Ｌ，７８Ａ，７８Ｂ，７８Ｃ    凹溝
８２ａ    油路穴
８２ｂ，８２ｃ    凹溝
８２ｄ，８２ｅ    ドレン穴
８３ａ，８４ａ，８５ａ，８６ａ，８７ａ    油路穴
８５ｂ，８６ｂ    凹溝
【図１】
0004321788.tif 000002
【図２】
0004321788.tif 000003
【図３】
0004321788.tif 000004
【図４】
0004321788.tif 000005
【図５】
0004321788.tif 000006
【図６】
0004321788.tif 000007
【図７】
0004321788.tif 000008
【図８】
0004321788.tif 000009
【図９】
0004321788.tif 000010
【図１０】
0004321788.tif 000011
【図１１】
0004321788.tif 000012
【図１２】
0004321788.tif 000013
【図１３】
0004321788.tif 000014